(57)【要約】【課題】高精細且つ高速に画像を表示することができる電気光学表示装置を提供すること。【解決手段】電気光学表示装置は、複数の画素電極が設けられた第１基板と、画素電極に対向した対向電極であって、複数のセグメントに分割された対向電極が設けられた第２基板と、第１基板と第２基板の間に設けられ、画素電極に印加された電位と対向電極に印加された電位とに応じて表示画像を形成する画像形成部と、対向電極のうちの一部又は全部のセグメントに略同じ電位を印加する第１表示モードと、１以上の画素電極に略同じ電位を印加する第２表示モードとに基づいて画像形成部に表示画像を形成させる制御部と、を備える。【選択図】図２
2016191848.tif 000002
【特許請求の範囲】
【請求項１】
複数の画素電極が設けられた第１基板と、
前記画素電極に対向した対向電極であって、複数のセグメントに分割された対向電極が設けられた第２基板と、
前記第１基板と前記第２基板の間に設けられ、前記画素電極に印加された電位と前記対向電極に印加された電位とに応じて表示画像を形成する画像形成部と、
前記対向電極のうちの一部又は全部の前記セグメントに略同じ電位を印加する第１表示モードと、１以上の前記画素電極に略同じ電位を印加する第２表示モードとに基づいて前記画像形成部に表示画像を形成させる制御部と、
を備える電気光学表示装置。
【請求項２】
前記第１表示モードは、アクティブマトリクス表示モードであり、前記第２表示モードは、セグメント表示モードである、
請求項１に記載の電気光学表示装置。
【請求項３】
前記第１表示モードにおいて前記画像形成部が表示画像を形成する時間間隔は、前記第２表示モードにおいて前記画像形成部が表示画像を形成する時間間隔よりも長い、
請求項１又は２に記載の電気光学表示装置。
【請求項４】
請求項１から３のうちいずれか一項に記載の電気光学表示装置を備える電子機器。
【請求項５】
複数の画素電極が設けられた第１基板と、前記画素電極に対向した対向電極であって、複数のセグメントに分割された対向電極が設けられた第２基板と、前記第１基板と前記第２基板の間に設けられ、前記画素電極に印加された電位と前記対向電極に印加された電位とに応じて表示画像を形成する画像形成部とを備える電気光学表示装置において、
前記対向電極のうちの一部又は全部の前記セグメントに略同じ電位を印加する第１表示モードと、１以上の前記画素電極に略同じ電位を印加する第２表示モードとに基づいて前記画像形成部に表示画像を形成させる、
駆動方法。
【発明の詳細な説明】
【技術分野】
【０００１】
この発明は、電気光学表示装置、電子機器、及び駆動方法に関する。
【背景技術】
【０００２】
電気泳動粒子や飛翔粉粒体、エレクトロクロミック等を用いて表示画像を表示させる表示装置が研究・開発されている。
【０００３】
これに関し、セグメント方式の電気泳動パネルと、アクティブマトリクス方式の電気泳動パネルとのいずれかを用いて表示部を構成する表示装置が知られている（特許文献１参照）。
【先行技術文献】
【特許文献】
【０００４】
【特許文献１】特開２０１０−１９７５６３号公報
【発明の概要】
【発明が解決しようとする課題】
【０００５】
しかしながら、表示部としてセグメント方式の電気泳動パネルを採用した場合、この表示装置は、アクティブマトリクス方式の電気泳動パネルを採用した場合と比較して、高精細表示を実現することができなかった。一方、表示部としてアクティブマトリクス方式の電気泳動パネルを採用した場合、表示装置は、セグメント方式の電気泳動パネルを採用した場合と比較して、表示画像の書き換えを高速に行うことができなかった。
【０００６】
そこで本発明は、上記従来技術の問題に鑑みてなされたものであり、高精細且つ高速に画像を表示することができる電気光学表示装置、電子機器、及び駆動方法を提供する。
【課題を解決するための手段】
【０００７】
本発明の一態様は、複数の画素電極が設けられた第１基板と、前記画素電極に対向した対向電極であって、複数のセグメントに分割された対向電極が設けられた第２基板と、前記第１基板と前記第２基板の間に設けられ、前記画素電極に印加された電位と前記対向電極に印加された電位とに応じて表示画像を形成する画像形成部と、前記対向電極のうちの一部又は全部の前記セグメントに略同じ電位を印加する第１表示モードと、１以上の前記画素電極に略同じ電位を印加する第２表示モードとに基づいて前記画像形成部に表示画像を形成させる制御部と、を備える電気光学表示装置である。
この構成により、電気光学表示装置は、対向電極のうちの一部又は全部のセグメントに略同じ電位を印加する第１表示モードと、１以上の画素電極に略同じ電位を印加する第２表示モードとに基づいて画像形成部に表示画像を形成させる。これにより、電気光学表示装置は、高精細且つ高速に画像を表示することができる。
【０００８】
また、本発明の他の態様は、電気光学表示装置において、前記第１表示モードは、アクティブマトリクス表示モードであり、前記第２表示モードは、セグメント表示モードである、構成が用いられてもよい。
この構成により、電気光学表示装置は、アクティブマトリクス表示モードと、セグメント表示モードとに基づいて画像形成部に表示画像を形成させる。これにより、電気光学表示装置は、アクティブマトリクス表示モードと、セグメント表示モードとに基づいて、高精細且つ高速に画像を表示することができる。
【０００９】
また、本発明の他の態様は、電気光学表示装置において、前記第１表示モードにおいて前記画像形成部が表示画像を形成する時間間隔は、前記第２表示モードにおいて前記画像形成部が表示画像を形成する時間間隔よりも長い、構成が用いられてもよい。
この構成により、電気光学表示装置は、第２表示モードにおいて画像形成部に表示画像を形成させる時間間隔よりも長い時間間隔で、第１表示モードにおいて画像形成部に表示画像を形成させる。これにより、電気光学表示装置は、第１表示モードにより画像形成部が表示画像を形成する頻度を抑制することができる。
【００１０】
また、本発明の他の態様は、上記のうちいずれかに記載の電気光学表示装置を備える電子機器。
この構成により、電子機器は、対向電極のうちの一部又は全部のセグメントに略同じ電位を印加する第１表示モードと、１以上の画素電極に略同じ電位を印加する第２表示モードとに基づいて画像形成部に表示画像を形成させる。これにより、電子機器は、高精細且つ高速に画像を表示することができる。
【００１１】
また、本発明の他の態様は、複数の画素電極が設けられた第１基板と、前記画素電極に対向した対向電極であって、複数のセグメントに分割された対向電極が設けられた第２基板と、前記第１基板と前記第２基板の間に設けられ、前記画素電極に印加された電位と前記対向電極に印加された電位とに応じて表示画像を形成する画像形成部とを備える電気光学表示装置において、前記対向電極のうちの一部又は全部の前記セグメントに略同じ電位を印加する第１表示モードと、１以上の前記画素電極に略同じ電位を印加する第２表示モードとに基づいて前記画像形成部に表示画像を形成させる、駆動方法である。
この構成により、駆動方法は、対向電極のうちの一部又は全部の前記セグメントに略同じ電位を印加する第１表示モードと、１以上の前記画素電極に略同じ電位を印加する第２表示モードとに基づいて前記画像形成部に表示画像を形成させる。これにより、駆動方法は、高精細且つ高速に画像を表示することができる。
【００１２】
以上により、電気光学表示装置、電子機器、及び駆動方法は、対向電極のうちの一部又は全部のセグメントに略同じ電位を印加する第１表示モードと、１以上の画素電極に略同じ電位を印加する第２表示モードとに基づいて画像形成部に表示画像を形成させる。これにより、電気光学表示装置、電子機器、及び駆動方法は、高精細且つ高速に画像を表示することができる。
【図面の簡単な説明】
【００１３】
【図１】本実施形態に係る電子機器１の外観の一例を示す図である。
【図２】電気光学表示装置１０の構成の一例を示す図である。
【図３】電気光学表示装置１０の表示部１１が備える画素４０の回路構成の一例を示す図である。
【図４】電気光学表示装置１０の断面構造とともに電気的構成の一例を示した図である。
【図５】複数のセグメントに分割された対向電極６２の回路構成の一例を示す図である。
【図６】マイクロカプセル７３の模式断面図である。
【図７】電気光学表示装置１０における対向電極６２の形状の一例を示す図である。
【図８】電気光学表示装置１０の制御方法の具体例１におけるタイミングチャートである。
【図９】電気光学表示装置１０の制御方法の具体例２におけるタイミングチャートである。
【図１０】電気光学表示装置１０の制御方法の具体例３におけるタイミングチャートである。
【図１１】図１０に示したタイミングチャートのうち、セグメント表示モード期間Ｔ４ｂをセグメント表示モード期間Ｔ４ｃに変更した図である。
【図１２】電気光学表示装置１０の他の表示例を示す図である。
【図１３】電気光学表示装置１０におけるセグメントの多層構造の一例を示す図である。
【図１４】画素４０ａの電気的な構成の一例を示す図である。
【図１５】本実施形態に係る電気光学表示装置１０を備えた電子機器の他の具体例を示す図である。
【発明を実施するための形態】
【００１４】
＜実施形態＞
以下、本発明の実施形態について、図面を参照して説明する。図１は、本実施形態に係る電子機器１の外観の一例を示す図である。図１に示すように、電子機器１は、この一例において、電気光学表示装置１０を備えた時計である。電子機器１は、電気光学表示装置１０の表示部１１に、分針Ｍ１と、時針Ｍ２と、秒針Ｓと、グラフＧを表示する。グラフＧは、例えば、電子機器１を身に着けたユーザーの１時間当たりの歩数を表すヒストグラムである。
【００１５】
なお、電子機器１は、これらに加えて、他の情報を表示する構成であってもよく、これらの一部又は全部を表示せずに他の情報を表示する構成であってもよい。また、グラフＧは、他のグラフであってもよい。また、電子機器１は、時計に代えて、電気光学表示装置１０を備えた他の電子機器であってもよい。以下では、電子機器１が電気光学表示装置１０に表示させる図形や文字、数字、記号を表示画像と称して説明する。
【００１６】
電気光学表示装置１０は、アクティブマトリクス表示モードと、セグメント表示モードとの２つの表示モードにより表示画像を表示部１１に表示する。
アクティブマトリクス表示モードは、アクティブマトリクス方式の電気泳動を用いて表示画像を表示部１１に表示する表示モードである。すなわち、アクティブマトリクス表示モードでは、電気光学表示装置１０は、表示部１１に表示画像を形成させる各画素に電圧を印加して画素の色を変化させることにより、様々な表示画像を表示部１１に表示する。
【００１７】
アクティブマトリクス表示モードにおいて、電気光学表示装置１０は、表示部１１に表示画像を形成する各画素の色を、画像データに基づいて決定する。電気光学表示装置１０は、例えば、図示しない計時部により計時された時刻に応じた分針Ｍ１及び時針Ｍ２の画像データを生成する。また、電気光学表示装置１０は、例えば、図示しない加速度センサーから検出される電子機器１に生じた加速度に基づいて電子機器１を身に着けて移動するユーザーの歩数を計測し、計測した歩数に基づいてグラフＧの画像データを生成する。なお、電気光学表示装置１０は、画像データを他の装置から取得する構成であってもよい。
【００１８】
電気光学表示装置１０は、表示部１１の画素毎に、生成した画像データに基づいて決定した画素の色に応じた電圧を印加する。これにより、電気光学表示装置１０は、画像データに基づいた表示画像を高精細に表示することができる。これはすなわち、電気光学表示装置１０は、アクティブマトリクス表示モードにより、高精細に表示画像を表示することができることを示す。この一例において、高精細に表示画像を表示するとは、時間の経過や温度の変化等の何らかの値の変化に応じて形状が変化する表示画像を表示することを示す。この一例において、電気光学表示装置１０は、アクティブマトリクス表示モードにより、分針Ｍ１と、時針Ｍ２と、グラフＧを表示する。
【００１９】
セグメント表示モードは、セグメント方式の電気泳動を用いて表示画像を表示部１１に表示する表示モードである。すなわち、セグメント表示モードでは、電気光学表示装置１０は、表示部１１に表示画像を形成させる各画素のうちの一部の画素の集団（セグメント）に電圧を印加する。そして、電気光学表示装置１０は、セグメント毎にセグメントの色を変化させることにより、セグメントの形状に応じた表示画像を表示部１１に表示する。
【００２０】
これはすなわち、電気光学表示装置１０は、セグメント表示モードにより、時間の経過や温度の変化等の何らかの値の変化に応じたタイミングで、画像データを生成することなく、予め決められた形状の表示画像を表示することができることを示す。この一例において、電気光学表示装置１０は、セグメント表示モードにより、秒針Ｓを表示する。
【００２１】
なお、セグメント表示モードにおいて、電気光学表示装置１０は、表示部１１の画素毎に、生成した画像データに基づいた電圧を印加するために要する処理を行わない。これにより、セグメント表示モードでは、電気光学表示装置１０は、予め決められたセグメントの形状に応じた表示画像を、アクティブマトリクス表示モードによって表示する場合よりも早く表示することができ、その結果、消費電力量を低減させることができる。
【００２２】
このように、電気光学表示装置１０は、アクティブマトリクス表示モードと、セグメント表示モードとに基づいて表示画像を表示する。これにより、電気光学表示装置１０は、高精細且つ高速に画像を表示することができる。
以下では、電気光学表示装置１０の構成と、電気光学表示装置１０が表示部１１に表示画像を表示させる制御方法とについて詳しく説明する。
【００２３】
＜電気光学表示装置１０の構成＞
以下、図２〜図６を参照して、電気光学表示装置１０の構成について説明する。図２は、電気光学表示装置１０の構成の一例を示す図である。また、図３は、電気光学表示装置１０の表示部１１が備える画素４０の回路構成の一例を示す図である。
電気光学表示装置１０は、複数の画素４０が配置された表示部１１と、制御部２０と、走査線駆動回路２１と、データ線駆動回路２２と、共通電源変調回路２３を備えている。
【００２４】
なお、図２では、図を簡略化するため、電気光学表示装置１０の表示部１１が四角形状であり、この四角形状の中に複数の画素４０が縦及び横に行列を成すように規則的に並べられている場合を示している。図１に示した電気光学表示装置１０の表示部１１は、この行列を成すように規則的に並べられた複数の画素４０を、円形状の中に行列を成すように規則的に並べられることにより形成されたものである。図２、図３、及び図５における電気光学表示装置１０の構成についての説明は、電気光学表示装置１０の表示部１１が四角形状である場合を例にとって説明するが、表示部１１が図１に示したように円形状である場合についても電気光学表示装置１０の構成は、同様である。
【００２５】
表示部１１には、走査線駆動回路２１から延びる複数の走査線３１と、データ線駆動回路２２から延びる複数のデータ線３２とが形成されており、これらの交差位置に対応して画素４０が設けられている。また、表示部１１は、共通電源変調回路２３から延びる電源線であって、電位Ｖｄｄを印加するための高電位電源線３３（図３参照）が設けられており、各画素４０と接続されている。また、表示部１１は、共通電源変調回路２３から延びる電源線であって、電位Ｖｓｓを印加するための低電位電源線３４（図３参照）が設けられており、各画素４０と接続されている。また、表示部１１は、共通電源変調回路２３から延びる共通電極配線３５、第１制御線３６、及び第２制御線３７が設けられており、それぞれの配線は画素４０と接続されている。
【００２６】
制御部２０は、自装置が生成した画像データや、他の装置から取得した画像データに基づいて、これらの機能部を総合的に制御する。なお、図２では、制御部２０と他の機能部とを接続する配線は、図が煩雑になるのを避けるために省略されている。
【００２７】
走査線駆動回路２１は、各画素４０と走査線３１を介して接続される。走査線駆動回路２１は、制御部２０の制御のもと、１行目（Ｇ１）からｍ行目（Ｇｍ）までの走査線３１を順次選択し、画素４０に設けられた選択トランジスター１４１（図３参照）のオンタイミングを規定する選択信号を、選択した走査線３１を介して供給する。
【００２８】
データ線駆動回路２２は、各画素４０とデータ線３２を介して接続される。データ線駆動回路２２は、走査線３１の選択期間に、１ビットの画素データを規定する画像信号を画素４０に供給する。
【００２９】
共通電源変調回路２３は、制御部２０の制御のもと、上記の配線の各々に供給すべき各種信号を生成する一方、これら各配線の電気的な接続及び切断を行う。また、共通電源変調回路２３には、第１制御線３６が接続されている。共通電源変調回路２３は、第１制御線３６を介して後述するスイッチ回路１８０に接続される。共通電源変調回路２３は、第１制御線３６を介してスイッチ回路１８０に接続された画素４０が備える後述する画素電極６１に電位Ｖ１を印加する。また、共通電源変調回路２３は、制御部２０の制御のもと、電位Ｖ１の値を変化させる。この一例において、共通電源変調回路２３は、電位Ｖ１を＋Ｖボルトと０ボルトのいずれかに変更する。また、共通電源変調回路２３には、第２制御線３７が接続されている。共通電源変調回路２３は、第２制御線３７を介して後述するスイッチ回路１８０に接続される。共通電源変調回路２３は、第２制御線３７を介してスイッチ回路１８０に接続された画素４０が備える後述する画素電極６１に電位Ｖ２を印加する。また、共通電源変調回路２３は、制御部２０の制御のもと、電位Ｖ２の値を変化させる。この一例において、共通電源変調回路２３は、電位Ｖ２を＋Ｖボルトと０ボルトのいずれかに変更する。
【００３０】
画素４０には、画素電極６１と、対向電極６２と、画像形成部７０と、選択トランジスター１４１と、ラッチ回路１７０と、スイッチ回路１８０とが設けられている。これらの素子を取り囲むように、走査線３１、データ線３２、高電位電源線３３、低電位電源線３４、第１制御線３６、及び第２制御線３７が配置されている。画素４０は、ラッチ回路１７０により画像信号を電位として保持するＳＲＡＭ（Static Random Access Memory）方式の構成である。
【００３１】
選択トランジスター１４１は、Ｎ−ＭＯＳ（Negative  Metal  Oxide  Semiconductor）トランジスターからなる画素スイッチング素子である。選択トランジスター１４１のゲート端子は走査線３１に接続され、ソース端子はデータ線３２に接続され、ドレイン端子はラッチ回路１７０のデータ入力端子Ｎ１に接続されている。ラッチ回路１７０のデータ入力端子Ｎ１及びデータ出力端子Ｎ２は、スイッチ回路１８０と接続されている。さらにスイッチ回路１８０は、画素電極６１と接続されるとともに第１制御線３６及び第２制御線３７と接続されている。
画素電極６１と対向電極６２との間に画像形成部７０が挟持されている。
【００３２】
ラッチ回路１７０は、いずれもＣ−ＭＯＳインバーターである転送インバーター１７０ｔ及び帰還インバーター１７０ｆを備えている。転送インバーター１７０ｔと帰還インバーター７０ｆとは、互いの入力端子に他方の出力端子が接続されたループ構造を成しており、それぞれのインバーターには、高電位電源端子ＰＨを介して接続された高電位電源線３３と、低電位電源端子ＰＬを介して接続された低電位電源線３４とから電源電圧が供給される。
【００３３】
転送インバーター１７０ｔは、それぞれのドレイン端子をデータ出力端子Ｎ２に接続されたＰ−ＭＯＳ（Positive  Metal  Oxide  Semiconductor）トランジスター１７１とＮ−ＭＯＳトランジスター１７２とを有している。Ｐ−ＭＯＳトランジスター１７１のソース端子は高電位電源端子ＰＨに接続され、Ｎ−ＭＯＳトランジスター１７２のソース端子は低電位電源端子ＰＬに接続されている。Ｐ−ＭＯＳトランジスター１７１及びＮ−ＭＯＳトランジスター１７２のゲート端子（転送インバーター１７０ｔの入力端子）は、データ入力端子Ｎ１（帰還インバーター１７０ｆの出力端子）と接続されている。
【００３４】
帰還インバーター１７０ｆは、それぞれのドレイン端子をデータ入力端子Ｎ１に接続されたＰ−ＭＯＳトランジスター１７３とＮ−ＭＯＳトランジスター１７４とを有している。Ｐ−ＭＯＳトランジスター１７３及びＮ−ＭＯＳトランジスター１７４のゲート端子（帰還インバーター１７０ｆの入力端子）は、データ出力端子Ｎ２（転送インバーター１７０ｔの出力端子）と接続されている。
【００３５】
上記構成のラッチ回路１７０において、ハイレベル（Ｈ）の画像信号（画素データ「１」）が記憶されると、ラッチ回路１７０のデータ出力端子Ｎ２からローレベル（Ｌ）の信号が出力される。一方、ラッチ回路１７０にローレベル（Ｌ）の画像信号（画素データ「０」）が記憶されると、データ出力端子Ｎ２からハイレベル（Ｈ）の信号が出力される。
【００３６】
スイッチ回路１８０は、第１トランスミッションゲートＴＧ１と、第２トランスミッションゲートＴＧ２とを備える。
第１トランスミッションゲートＴＧ１は、Ｐ−ＭＯＳトランジスター１８１とＮ−ＭＯＳトランジスター１８２とからなる。Ｐ−ＭＯＳトランジスター１８１及びＮ−ＭＯＳトランジスター１８２のソース端子は第１制御線３６に接続され、Ｐ−ＭＯＳトランジスター１８１及びＮ−ＭＯＳトランジスター１８２のドレイン端子は画素電極６１に接続されている。また、Ｐ−ＭＯＳトランジスター１８１のゲート端子は、ラッチ回路１７０のデータ入力端子Ｎ１に接続され、Ｎ−ＭＯＳトランジスター１８２のゲート端子は、ラッチ回路１７０のデータ出力端子Ｎ２に接続されている。
【００３７】
第２トランスミッションゲートＴＧ２は、Ｐ−ＭＯＳトランジスター１８３とＮ−ＭＯＳトランジスター１８４とからなる。Ｐ−ＭＯＳトランジスター１８３及びＮ−ＭＯＳトランジスター１８４のソース端子は第２制御線３７に接続され、Ｐ−ＭＯＳトランジスター１８３及びＮ−ＭＯＳトランジスター１８４のドレイン端子は、画素電極６１に接続されている。また、Ｐ−ＭＯＳトランジスター１８３のゲート端子は、ラッチ回路１７０のデータ出力端子Ｎ２に接続され、Ｎ−ＭＯＳトランジスター１８４のゲート端子は、ラッチ回路１７０のデータ入力端子Ｎ１に接続されている。
【００３８】
ここで、ラッチ回路１７０にローレベル（Ｌ）の画像信号（画素データ「０」）が記憶され、データ出力端子Ｎ２からハイレベル（Ｈ）の信号が出力された場合、第１トランスミッションゲートＴＧ１がオン状態となり、第１制御線３６を介して供給される電位Ｖ１が画素電極６１に入力される。この一例において、電位Ｖ１の値は、＋Ｖボルト又は０ボルトのいずれかである。
一方、ラッチ回路１７０にハイレベル（Ｈ）の画像信号（画素データ「１」）が記憶され、データ出力端子Ｎ２からローレベル（Ｌ）の信号が出力された場合、第２トランスミッションゲートＴＧ２がオン状態となり、第２制御線３７を介して供給される電位Ｖ２が画素電極６１に入力される。この一例において、電位Ｖ２の値は、＋Ｖボルト又は０ボルトのいずれかである。
【００３９】
次に、図４を参照して、電気光学表示装置１０の断面構造とともに電気的構成について説明する。図４は、電気光学表示装置１０の断面構造とともに電気的構成の一例を示した図である。図４に示すように、電気光学表示装置１０の表示部１１は、第１基板５１と第２基板５２との間に、画像形成部７０を挟持した構成である。第１基板５１の画像形成部７０側に複数の画素電極６１が形成され、第２基板５２の画像形成部７０側には対向電極６２が形成されている。
【００４０】
画像形成部７０は、例えば、電気泳動粒子を内部に封入した複数のマイクロカプセル７３を平面的に配列した電気泳動素子である。本実施形態に係る電気光学表示装置１０は、画像形成部７０により形成された画像を対向電極６２側に表示する。なお、画像形成部７０は、電気泳動素子に代えて、飛翔粉粒体を内部に封入した複数のマイクロカプセルを平面的に配列した素子等の電圧を印加することにより画素の色を変更することが可能な素子であれば他の素子であってもよい。
【００４１】
第１基板５１は、ガラスやプラスチック等からなる基板であり、画像表示面とは反対側に配置されるため透明なものでなくてもよい。画素電極６１は、Ｃｕ（銅）箔上にニッケルメッキと金メッキとをこの順番で積層したものや、Ａｌ（アルミニウム）、ＩＴＯ（インジウム・スズ酸化物）などにより形成された画像形成部７０に電圧を印加する電極である。
各々の画素電極６１には、走査線３１を介して走査線駆動回路２１が接続されている。走査線駆動回路２１には、各々の走査線３１に対応する図示しないスイッチング素子が設けられている。
【００４２】
一方、第２基板５２はガラスやプラスチック等からなる基板であり、画像表示側に配置されるため透明基板とされる。対向電極６２は、画素電極６１とともに画像形成部７０に電圧を印加する電極であり、ＭｇＡｇ（マグネシウム銀）、ＩＴＯ、ＩＺＯ（インジウム・亜鉛酸化物）などから形成された透明電極である。電気光学表示装置１０において、対向電極６２は、図５に示したように複数のセグメントに分割されている。
【００４３】
ここで、図５を参照して、複数のセグメントに分割された対向電極６２について説明する。図５は、複数のセグメントに分割された対向電極６２の回路構成の一例を示す図である。図５では、対向電極６２は、セグメントＳｇ１〜セグメントＳｇｋまでのｋ個のセグメントに分割されている。ｋは、２以上の整数である。以下では、セグメントＳｇ１〜セグメントＳｇｋを区別する必要が無い限り、まとめてセグメントＳｇと称して説明する。
【００４４】
複数のセグメントＳｇ毎の対向電極６２には、共通電極配線３５を介して共通電源変調回路２３が接続されている。共通電源変調回路２３はスイッチング素子６４（図５参照）を備えている。共通電源変調回路２３は、制御部２０の制御のもと、複数のスイッチング素子６４を動作させることで、複数のセグメントＳｇ毎の対向電極６２との電気的な接続及び切断を行う。共通電源変調回路２３は、スイッチング素子６４のスイッチをオンにすることにより、対向電極６２に電位Ｖｆを印加する。この一例において、電位Ｖｆの値は、＋Ｖボルト又は０ボルトのいずれかである。
【００４５】
なお、画像形成部７０は、あらかじめ第２基板５２側に形成され、接着剤層６３までを含めた電気泳動シートとして取り扱われるのが一般的である。製造工程において、電気泳動シートは接着剤層６３の表面に保護用の剥離シートが貼り付けられた状態で取り扱われる。そして、別途製造された第１基板５１（画素電極６１などが形成されている）に対して、剥離シートを剥がした当該電気泳動シートを貼り付けることによって、表示部１１を形成する。このため、接着剤層６３は画素電極６１側のみに存在することになる。
【００４６】
図６は、マイクロカプセル７３の模式断面図である。マイクロカプセル７３は、例えば３０〜５０マイクロメートル程度の粒径を有しており、内部に複数の黒色粒子（電気泳動粒子）７１と、複数の白色粒子（電気泳動粒子）７２と、分散媒７４とを封入した球状体である。マイクロカプセル７３は、図６に示したように画素電極６１と対向電極６２とで挟持され、１つの画素４０内に１つ又は複数のマイクロカプセル７３が配置される。
【００４７】
マイクロカプセル７３の外殻部（壁膜）は、ポリメタクリル酸メチル、ポリメタクリル酸エチルなどのアクリル樹脂、ユリア樹脂、アラビアガムなどの透光性を持つ高分子樹脂などを用いて形成される。
【００４８】
分散媒７４は、黒色粒子７１と白色粒子７２とをマイクロカプセル７３内に分散させる液体である。分散媒７４としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００４９】
黒色粒子７１は、例えば、アニリンブラック、カーボンブラック等の黒色顔料からなる粒子（高分子あるいはコロイド）であり、例えば正に帯電されて用いられる。
白色粒子７２は、例えば、二酸化チタン、亜鉛華、三酸化アンチモン等の白色顔料からなる粒子（高分子あるいはコロイド）であり、例えば負に帯電されて用いられる。
【００５０】
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子７１及び白色粒子７２に代えて、例えば赤色、緑色、青色などの顔料を用いてもよい。かかる構成によれば、表示部１１に赤色、緑色、青色などを表示することができる。
【００５１】
ここで、画像形成部７０の動作について説明する。
電気光学表示装置１０では、データ線駆動回路２２からデータ線３２を介して画素４０の画素電極６１に画像データに対応する電位が入力される一方、共通電源変調回路２３から共通電極配線３５を介して対向電極６２に電位Ｖｆが入力される。すなわち、図３に示した対向電極６２には、この共通電極配線３５により電位Ｖｆが印加される。これにより発生する画素電極６１と対向電極６２との電位差に基づいて画素４０が黒又は白表示される。
【００５２】
画素４０が白表示の場合には、対向電極６２が相対的に高電位、画素電極６１が相対的に低電位に保持される。これにより、負に帯電した白色粒子７２が対向電極６２に引き寄せられる一方、正に帯電した黒色粒子７１が画素電極６１に引き寄せられる。その結果、表示面側となる対向電極６２側からこの画素を見ると、白色が認識される。
画素４０が黒表示の場合には、対向電極６２が相対的に低電位、画素電極６１が相対的に高電位に保持される。これにより、正に帯電した黒色粒子７１が対向電極６２に引き寄せられる一方、負に帯電した白色粒子７２が画素電極６１に引き寄せられる。その結果、対向電極６２側からこの画素を見ると、黒色が認識される。
【００５３】
＜対向電極６２の形状と電気光学表示装置１０の表示例＞
以下、図７を参照して、図１に示した電気光学表示装置１０における対向電極６２の形状と、当該対向電極６２の形状によって表示部１１に表示される表示画像の表示例とについて説明する。図７は、電気光学表示装置１０における対向電極６２の形状の一例を示す図である。図７において、対向電極６２は、６１のセグメントに分割されている。以下では、説明の便宜上、６１のセグメントに分割された対向電極６２のそれぞれを、セグメントＳｅｇ０〜セグメントＳｅｇ６０と称して説明する。
【００５４】
セグメントＳｅｇ１〜セグメントＳｅｇ６０は、図１に示した秒針Ｓを表示させるためのセグメントである。この一例において、セグメントＳｅｇ１は、時計である電子機器１の１秒の秒針の形状のセグメントである。また、セグメントＳｅｇ２は、時計である電子機器１の２秒の秒針の形状のセグメントである。これがセグメントＳｅｇ６０まで続き、セグメントＳｅｇ６０は、時計である電子機器１の６０秒（すなわち、０秒）の秒針の形状のセグメントである。
【００５５】
セグメントＳｅｇ０は、電気光学表示装置１０の表示部１１が備える複数のセグメントのうち、最も大きなセグメントである。図７において、セグメントＳｅｇ０は、分針Ｍ１と、時針Ｍ２と、グラフＧとを表示させるための円盤状のセグメントのことである。この円盤状のセグメントＳｅｇ０は、時計である電子機器１の１秒〜６０秒のそれぞれの秒針が表示される位置に、セグメントＳｅｇ１〜セグメントＳｅｇ６０のそれぞれが嵌め込まれる６０の切欠き部を有する。図７には、この６０の切欠き部のそれぞれに、セグメントＳｅｇ１〜セグメントＳｅｇ６０のそれぞれが嵌め込まれた状態が示されている。
【００５６】
例えば、電気光学表示装置１０は、１０時１０分００秒の場合、図７に示したように、セグメントＳｅｇ０に分針Ｍ１と、時針Ｍ２と、グラフＧとを表示する。また、電気光学表示装置１０は、セグメントＳｅｇ１を黒色表示の状態にし、セグメントＳｅｇ２〜セグメントＳｅｇ６０を白色表示の状態にする。電気光学表示装置１０は、１０時１０分０１秒となった場合、セグメントＳｅｇ０に表示された分針Ｍ１と、時針Ｍ２と、グラフＧとの表示状態を保持し、セグメントＳｅｇ１を白色表示の状態に変化させる。その後、電気光学表示装置１０は、セグメントＳｅｇ２を黒色表示の状態に変化させ、セグメントＳｅｇ３〜セグメントＳｅｇ６０を白色表示のまま保持する。
【００５７】
これを繰り返し、電気光学表示装置１０は、１０時１１分００秒となった場合、セグメントＳｅｇ０に表示された分針Ｍ１と、時針Ｍ２とを、１０時１１分を示す表示に変化させる。また、電気光学表示装置１０は、セグメントＳｅｇ５９を白色表示の状態に変化させ、セグメントＳｅｇ６０を黒色表示の状態に変化させる。なお、この一例において、電気光学表示装置１０は、１０時１０分００秒から１０時１１分００秒までの間に、セグメントＳｅｇ０に表示したグラフＧを変化させてもよく、変化させなくてもよい。
【００５８】
このような分針Ｍ１、時針Ｍ２、秒針Ｓによる時刻の表示と、グラフＧの表示とを、電気光学表示装置１０は、アクティブマトリクス表示モードと、セグメント表示モードとに基づいて行う。この一例において、電気光学表示装置１０は、分針Ｍ１と時針Ｍ２とグラフＧの表示を、アクティブマトリクス表示モードによって行う。また、電気光学表示装置１０は、秒針Ｓの表示を、セグメント表示モードによって行う。
【００５９】
＜電気光学表示装置１０の制御方法の具体例１＞
以下、図８を参照して本実施形態の電気光学表示装置１０の制御方法の具体例１について説明する。
【００６０】
図８は、電気光学表示装置１０の制御方法の具体例１におけるタイミングチャートである。図８では、電気光学表示装置１０が画像信号入力期間Ｔ１、マトリクス表示モード期間Ｔ２、電源オフ期間Ｔ３、セグメント表示モード期間Ｔ４、及び繰り返し期間Ｔ５の順序で動作を行い、表示画像が表示される様子を示している。また、セグメント表示モード期間Ｔ４は、前半と後半に分かれている。すなわち、セグメント表示モード期間Ｔ４では、電気光学表示装置１０が第１セグメント表示モード期間Ｔ４−１、第２セグメント表示モード期間Ｔ４−２の順序で動作を行う。
【００６１】
図８には、第１制御線３６の電位Ｖ１と、第２制御線３７の電位Ｖ２と、共通電極配線３５の電位Ｖｆのうち、セグメントＳｅｇ０に印加する電位Ｖｓｅｇ０と、セグメントＳｅｇ１に印加する電位Ｖｓｅｇ１と、セグメントＳｅｇ２に印加する電位Ｖｓｅｇ２とが示されている。また、図８に示す具体的な電圧値＋Ｖボルトや０ボルトは、一例に過ぎず、本発明の技術範囲を限定するものではない。
【００６２】
＜画像信号入力期間Ｔ１において画素４０に画像データに対応する電位を記憶させる制御＞
以下、画像信号入力期間Ｔ１について説明する。
画素４０においてラッチ回路１７０（図３参照）により画像信号を電位として保持するＳＲＡＭに対して、図２の共通電源変調回路２３から、高電位電源線３３を介して、例えば電位Ｖｄｄとして約５ボルトの電位（ハイレベル；Ｈ（５Ｖ）と示す）を入力し、低電位電源線３４を介して、例えば電位Ｖｓｓとして０ボルトの電位（ローレベル；Ｌ（０Ｖ）と示す）を入力することで、当該ＳＲＡＭを駆動させる。なお、当該５ボルトは、上記で説明した電位の値である＋Ｖボルトの一例である。
このとき、高電位電源線３３、低電位電源線３４、及び共通電極配線３５は、共通電源変調回路２３によって電気的に切断されている。
【００６３】
図２の走査線駆動回路２１は、走査線Ｇ１に選択信号を入力する。この選択信号により、走査線Ｇ１に接続された画素４０の画素スイッチング素子が駆動され、走査線Ｇ１に接続された画素４０のＳＲＡＭは、データ線Ｓ１、Ｓ２、…、Ｓｎにそれぞれ接続される。
図１のデータ線駆動回路２２は、データ線Ｓ１、Ｓ２、…、Ｓｎに画像信号を供給することで、走査線Ｇ１に接続された画素４０のＳＲＡＭに画像信号を入力する。
【００６４】
画像信号が入力されると、走査線駆動回路２１は、走査線Ｇ１への選択信号の供給を停止し、走査線Ｇ１に接続された画素４０の選択状態を解除する。この動作を走査線Ｇｍに接続された画素４０まで順次実行し、すべての画素４０のＳＲＡＭに画像信号を入力する。これにより、表示部１１を構成する画素４０のＳＲＡＭに、画像データに対応する電位が記憶される。
【００６５】
＜マトリクス表示モード期間Ｔ２における電気光学表示装置１０の制御＞
以下、マトリクス表示モード期間Ｔ２について説明する。
マトリクス表示モード期間Ｔ２において、複数のセグメント（この一例において、セグメントＳｅｇ０〜セグメントＳｅｇ６０）には、共通電源変調回路２３を介して、ハイレベル（Ｈ（１５Ｖ））の期間とローレベル（Ｌ（０Ｖ））の期間とを一定周期で繰り返すパルス状の信号が入力される。図９には、セグメントＳｅｇ０〜セグメントＳｅｇ２までの３つのセグメントに対して当該パルス状の信号が入力される様子が示されている。
【００６６】
マトリクス表示モード期間Ｔ２では、高電位電源線３３にはハイレベル；Ｈ（１５Ｖ）が供給され、ＳＲＡＭの出力電圧もＬ（０Ｖ）またはＨ（１５Ｖ）となる。なお、()内は以後省略してＬ、Ｈと記載する。
【００６７】
これに対し、電気光学表示装置１０が備える複数の画素４０のうち、ＳＲＡＭにプログラムされた画素信号がローレベルである画素４０では、端子Ｎ１がＬ、端子Ｎ２がＨとなっている。このため、第１トランスミッションゲートＴＧ１がオン、第２トランスミッションゲートＴＧ２がオフとなり、画素電極６１と第１制御線３６が電気的に接続し、画素電極６１と第２制御線３７が電気的に遮断状態となる。従って、第１制御線３６の電位は、画素電極６１に供給される。
【００６８】
一方、画素信号がハイレベルである画素４０では、端子Ｎ１がＨとなり、端子Ｎ２がＬとなっている。このため、第２トランスミッションゲートＴＧ２がオンとなり、第１トランスミッションゲートＴＧ１がオフとなり、画素電極６１と第２制御線３７が電気的に接続し、画素電極６１と第１制御線３６が遮断状態となる。従って、第２制御線３７の電位は、画素電極６１に供給される。
【００６９】
従って、共通電源変調回路２３が第１制御線３６にＬの電位を供給し、第２制御線３７にＨの電位を供給することにより、ＳＲＡＭにプログラムされた画素信号がローレベルである画素４０の画素電極６１には、Ｌが印加される。そして、複数のセグメントの電位がＨの期間、負の白粒子はセグメント側に泳動し、正の黒粒子は画素電極６１側に泳動する。その結果、画素４０は、白色表示となる。
【００７０】
一方、、ＳＲＡＭにプログラムされた画素信号がハイレベルである画素４０の画素電極６１には、Ｈが印加される。そして、複数のセグメントの電位がＬの期間、正の黒粒子がセグメント側に泳動し、負の白粒子は画素電極６１側に泳動する。その結果、画素４０は、黒色表示となる。
【００７１】
なお、ＳＲＡＭにプログラムされた画素信号がローレベルである画素４０における複数のセグメントの電位がＬの期間と、ＳＲＡＭにプログラムされた画素信号がハイレベルである画素４０における複数のセグメントの電位がＨの期間とについては、電位差が生じない。このため、粒子の泳動は起こらず、表示状態は維持される。
【００７２】
なお、ここでは、マトリクス表示モード期間Ｔ２におけるセグメントＳｅｇ０〜セグメントＳｅｇ６０は、どの瞬間であってもすべて略同じ電位である場合について説明したが、セグメント毎に略同じ電位が実現される構成（セグメントの部位によって電位が異ならない構成）であれば、マトリクス表示モード期間Ｔ２において、ある瞬間にそれぞれのセグメント同士が異なる電位となっていてもよい。すなわち、マトリクス表示モード期間Ｔ２では、６１のセグメント毎に、アクティブマトリクス方式による電気泳動パネルが実現する。本実施形態では、一例として、６１のセグメントのうちセグメントＳｅｇ１〜セグメントＳｅｇ６０のそれぞれの電位によって電圧が印加される画素４０は、マトリクス表示モード期間Ｔ２において、前の画像をそのまま保持する構成であるとする。
【００７３】
＜電源オフ期間Ｔ３における電気光学表示装置１０の制御＞
以下、電源オフ期間Ｔ３について説明する。
電源オフ期間Ｔ３において、高電位電源線３３、低電位電源線３４、第１制御線３６、第２制御線３７、対向電極６２は、いずれも他の回路から電気的に切断された状態となっている。このとき表示部１１には、以前に表示された画像が保持されている。
【００７４】
＜セグメント表示モード期間Ｔ４における電気光学表示装置１０の制御＞
以下、セグメント表示モード期間Ｔ４について説明する。
セグメント表示モード期間Ｔ４は、すべての画素電極６１に略同じ電位を印加する期間である。電気光学表示装置１０は、すべての画素電極６１に略同じ電位を印加することにより、セグメントＳｅｇ１〜セグメントＳｅｇ６０のそれぞれに所定の電圧を必要に応じて印加し、画素４０の表示を変化させる。
【００７５】
セグメント表示モード期間Ｔ４において、電気光学表示装置１０は、第１制御線３６から画素電極６１に印加する電位Ｖ１の値と、第２制御線３７から画素電極６１に印加する電位Ｖ２の値とを、例えば両方とも＋Ｖボルト又は０ボルトのいずれかに変更する。すなわち、第１トランスミッションゲートＴＧ１と第２トランスミッションゲートＴＧ２のいずれが駆動されても、画素電極６１には＋Ｖボルト又は０ボルトの電位が印加される。これにより、電気光学表示装置１０は、画像信号入力期間Ｔ１において記憶された画像データに対応する電位が複数の画素４０毎に異なっている場合であっても、画素４０に記憶させた電位を記憶させ直さずに、すべての画素電極６１に略同じ電位を印加することができる。
【００７６】
その結果、セグメント表示モード期間Ｔ４では、電気光学表示装置１０は、６１のセグメント毎に、セグメント方式による電気泳動パネルを実現することができる。
前述したようにセグメント表示モード期間Ｔ４では、電気光学表示装置１０は、第１セグメント表示モード期間Ｔ４−１、第２セグメント表示モード期間Ｔ４−２の順で動作を行う。
【００７７】
＜第１セグメント表示モード期間Ｔ４−１における電気光学表示装置１０の制御＞
この一例において、第１セグメント表示モード期間Ｔ４−１は、電子機器１が時計であるため、現在の時刻における秒を示す秒針Ｓに対応するセグメントによって電圧が印加される画素４０に黒色を表示する期間である。図９に示した例では、当該画素に電圧を印加するセグメントは、セグメントＳｅｇ１である。
【００７８】
第１セグメント表示モード期間Ｔ４−１において、電気光学表示装置１０は、共通電源変調回路２３に電位Ｖ１と電位Ｖ２を＋Ｖボルトにさせる。これにより、すべての画素電極６１には、＋Ｖボルトの電位が印加される。
また、電気光学表示装置１０は、共通電源変調回路２３により、６１のセグメントのうちセグメントＳｅｇ１以外のすべてのセグメントに＋Ｖボルトの電位を印加させる。これにより、６１のセグメントのうちセグメントＳｅｇ１以外のすべてのセグメントと、画素電極６１との間には電位差が発生しない。すなわち、６１のセグメントのうちセグメントＳｅｇ１以外のすべてのセグメントにより電圧が印加される画素４０は、前の画像をそのまま保持する。
【００７９】
一方、電気光学表示装置１０は、共通電源変調回路２３により、セグメントＳｅｇ１に０ボルトの電位を印加させる。これにより、セグメントＳｅｇ１と画素電極６１の間には、大きな電位差が発生する。その結果、セグメントＳｅｇ１によって電圧が印加される画素４０には、黒色が表示される。
このように、第１セグメント表示モード期間Ｔ４−１では、電気光学表示装置１０は、現在の時刻の秒を示す秒針Ｓに対応するセグメントによって電圧が印加される画素４０に黒色を表示することができる。
【００８０】
＜第２セグメント表示モード期間Ｔ４−２における電気光学表示装置１０の制御＞
この一例において、第２セグメント表示モード期間Ｔ４−２は、電子機器１が時計であるため、１秒前の時刻における秒を示す秒針Ｓに対応するセグメントによって電圧が印加される画素４０に白色を表示する（すなわち、当該秒針Ｓの表示を消す）期間である。当該画素４０に電圧を印加するセグメントは、セグメントＳｅｇ５９である。図９では、６１のセグメントのうちセグメントＳｅｇ０〜セグメントＳｅｇ２までのタイミングチャートのみを示しているが、第２セグメント表示モード期間Ｔ４−２におけるセグメントＳｅｇ３からセグメントＳｅｇ５９のタイミングチャートは、セグメントＳｅｇ２のタイミングチャートと同様である。
また、第２セグメント表示モード期間Ｔ４−２は、複数の画素４０のうち、１秒前の時刻において白色となっていた秒針Ｓに対応するセグメントによって電圧が印加される画素４０を白色のまま保持する期間である。
【００８１】
第２セグメント表示モード期間Ｔ４−２において、電気光学表示装置１０は、共通電源変調回路２３に電位Ｖ１と電位Ｖ２を０ボルトにさせる。これにより、すべての画素電極６１には、０ボルトの電位が印加される。
また、電気光学表示装置１０は、共通電源変調回路２３により、６１のセグメントのうちセグメントＳｅｇ１以外のすべてのセグメントに＋Ｖボルトの電位を印加させる。これにより、６１のセグメントのうちセグメントＳｅｇ１以外のすべてのセグメントと、画素電極６１との間には、大きな電位差が発生する。その結果、６１のセグメントのうちセグメントＳｅｇ１以外のすべてのセグメントによって電圧が印加される画素４０には、白色が表示される。
【００８２】
一方、電気光学表示装置１０は、共通電源変調回路２３により、セグメントＳｅｇ１に０ボルトの電位を印加させる。これにより、セグメントＳｅｇ１と画素電極６１の間には電位差が発生しない。その結果、セグメントＳｅｇ１によって電圧が印加される画素４０の表示は、黒色のまま保持される。
【００８３】
＜繰り返し期間Ｔ５における電気光学表示装置１０の制御＞
電気光学表示装置１０は、電源オフ期間Ｔ３〜セグメント表示モード期間Ｔ４までの動作を、５８回繰り返す。すなわち、電気光学表示装置１０は、電源オフ期間Ｔ３〜繰り返し期間Ｔ５までの動作により、１分間隔で時計である電子機器１の秒針Ｓの表示を更新することができる。
以上のようにして、電気光学表示装置１０は、画像信号入力期間Ｔ１〜繰り返し期間Ｔ５までの動作を繰り返すことにより、時計である電子機器１の分針Ｍ１、時針Ｍ２、秒針Ｓの表示を１分間隔で更新することができる。なお、電気光学表示装置１０は、グラフＧの表示を変更する場合、グラフＧの表示の変更を、マトリクス表示モード期間Ｔ２において行う。
【００８４】
上記で説明したように、電気光学表示装置１０は、アクティブマトリクス方式の電気泳動パネルとしての動作と、セグメント方式の電気泳動パネルとしての動作とを併せ持つ。このため、電気光学表示装置１０は、アクティブマトリクス方式の電気泳動パネルとして動作させることにより、分針Ｍ１と、時針Ｍ２と、秒針Ｓと、グラフＧとのすべての表示を更新させる場合と比較して、消費電力を抑制することができる。何故なら、電気光学表示装置１０では、秒針Ｓの表示の更新は、画像信号入力期間Ｔ１が付随しないセグメント表示モード期間Ｔ４において行われるからである。また、電気光学表示装置１０は、秒針Ｓの表示の更新において、画像信号入力期間Ｔ１を必要としないため、処理速度を向上させることができる。すなわち、電気光学表示装置１０は、表示の切り換えをより早く行うことができる。更に、電気光学表示装置１０では、ＳＲＡＭのプログラムに必要な電力が不要となり、秒表示しつつ消費電力の低減を図ることができる。
【００８５】
なお、画像信号入力期間Ｔ１が開始した時からマトリクス表示モード期間Ｔ２が終了する時までの時間間隔は、本実施形態のように電子機器１が時計である場合、時刻表示の遅れが生じてしまうため、１秒未満であることが望ましい。また、セグメント表示モード期間Ｔ４には、マトリクス表示モード期間Ｔ２のように画像信号入力期間Ｔ１が付随しない。このため、セグメント表示モード期間Ｔ４が開始した時から終了した時までの時間間隔は、画像信号入力期間Ｔ１が開始される時刻からマトリクス表示モード期間Ｔ２が終了する時刻までの時間間隔よりも短い。
【００８６】
＜電気光学表示装置１０の制御方法の具体例２＞
以下、図９を参照して本実施形態の電気光学表示装置１０の制御方法の具体例２について説明する。
【００８７】
図９は、電気光学表示装置１０の制御方法の具体例２におけるタイミングチャートである。図９では、電気光学表示装置１０が画像信号入力期間Ｔ１、マトリクス表示モード期間Ｔ２、電源オフ期間Ｔ３、セグメント表示モード期間Ｔ４ａ、及び繰り返し期間Ｔ５ａの順序で動作を行い、表示画像が表示される様子を示している。なお、画像信号入力期間Ｔ１と、マトリクス表示モード期間Ｔ２と、電源オフ期間Ｔ３とにおける電気光学表示装置１０の制御方法は、図８において説明した方法と同様であるため、説明を省略する。
【００８８】
＜セグメント表示モード期間Ｔ４ａにおける電気光学表示装置１０の制御＞
以下、セグメント表示モード期間Ｔ４ａについて説明する。
セグメント表示モード期間Ｔ４ａでは、電気光学表示装置１０は、電位Ｖ１の値と、電位Ｖ２の値と、セグメントＳｅｇ０に印加する電圧の値とが、＋Ｖボルトの期間と０ボルトの期間とを繰り返すように共通電源変調回路２３を制御する。
【００８９】
また、電気光学表示装置１０は、セグメントＳｅｇ１に印加する電位の値を０ボルトとし、６１のセグメントのうちのセグメントＳｅｇ１以外のすべてのセグメントに印加する電位の値が＋Ｖボルトとなるように共通電源変調回路２３を制御する。
【００９０】
これにより、セグメントＳｅｇ０と画素電極６１の間には、電位差が発生しない。そのため、セグメントＳｅｇ０により電圧が印加される画素４０は、前の画像をそのまま保持する。また、セグメントＳｅｇ１と画素電極６１の間には、画素電極６１の電位が＋Ｖボルトの場合、大きな電位差が発生する。その結果、セグメントＳｅｇ１により電圧が印加される画素４０には黒色が表示される。また、セグメントＳｅｇ１と画素電極６１の間には、画素電極６１の電位が０ボルトの場合、電位差が発生しない。その結果、セグメントＳｅｇ１により電圧が印加される画素４０の画像形成部７０は動作せず、前の画像をそのまま保持する。
【００９１】
また、６１のセグメントのうちのセグメントＳｅｇ１以外のすべてのセグメントと画素電極６１の間には、画素電極６１の電位が＋Ｖボルトの場合、電位差が発生しない。その結果、６１のセグメントのうちのセグメントＳｅｇ１以外のすべてのセグメントにより電圧が印加される画素４０の画像形成部７０は動作せず、前の画像をそのまま保持する。また、６１のセグメントのうちのセグメントＳｅｇ１以外のすべてのセグメントと画素電極６１の間には、画素電極６１の電位が０ボルトの場合、大きな電位差が発生する。その結果、６１のセグメントのうちのセグメントＳｅｇ１以外のすべてのセグメントにより電圧が印加される画素４０には白色が表示される。
【００９２】
＜繰り返し期間Ｔ５ａにおける電気光学表示装置１０の制御＞
電気光学表示装置１０は、図９に示した電源オフ期間Ｔ３〜セグメント表示モード期間Ｔ４ａまでの動作を、５８回繰り返す。すなわち、電気光学表示装置１０は、図９に示した電源オフ期間Ｔ３〜繰り返し期間Ｔ５ａまでの動作により、１分間隔で時計である電子機器１の秒針Ｓの表示を更新することができる。
【００９３】
以上のように、電気光学表示装置１０が、電位Ｖ１の値と、電位Ｖ２の値と、セグメントＳｅｇ０に印加する電圧の値とが、＋Ｖボルトの期間と０ボルトの期間とを繰り返すように共通電源変調回路２３を制御することにより、１秒前の時刻の秒を示す秒針Ｓに対応したセグメントを白色にして当該秒針Ｓの表示を消すことと、現在の時刻の秒を示す秒針Ｓに対応したセグメントを黒色にして当該秒針Ｓを表示させることとを、ほぼ同時に進行させることができる。その結果、電気光学表示装置１０は、秒針Ｓの表示位置の移動を、電子機器１のユーザーに対して滑らかなように見せることができる。
【００９４】
＜電気光学表示装置１０の制御方法の具体例３＞
以下、図１０を参照して本実施形態の電気光学表示装置１０の制御方法の具体例３について説明する。
【００９５】
図１０は、電気光学表示装置１０の制御方法の具体例３におけるタイミングチャートである。図１０では、電気光学表示装置１０が画像信号入力期間Ｔ１、マトリクス表示モード期間Ｔ２、電源オフ期間Ｔ３、セグメント表示モード期間Ｔ４ｂ、及び繰り返し期間Ｔ５ｂの順序で動作を行い、表示画像が表示される様子を示している。なお、画像信号入力期間Ｔ１と、マトリクス表示モード期間Ｔ２と、電源オフ期間Ｔ３とにおける電気光学表示装置１０の制御方法は、図８において説明した方法と同様であるため、説明を省略する。
【００９６】
＜セグメント表示モード期間Ｔ４ｂにおける電気光学表示装置１０の制御＞
以下、セグメント表示モード期間Ｔ４ｂについて説明する。
【００９７】
セグメント表示モード期間Ｔ４ｂにおいて、電気光学表示装置１０は、電位Ｖ１の値と、電位Ｖ２の値と、セグメントＳｅｇ０に印加する電位の値とが０ボルトとなるように共通電源変調回路２３を制御する。
また、電気光学表示装置１０は、セグメントＳｅｇ１に印加する電位の値が−Ｖボルトとなるように共通電源変調回路２３を制御する。
また、電気光学表示装置１０は、６１のセグメントのうちのセグメントＳｅｇ１以外のすべてのセグメントに印加する電位の値が＋Ｖボルトとなるように共通電源変調回路２３を制御する。
【００９８】
これにより、セグメントＳｅｇ０と画素電極６１の間には、電位差が発生しない。そのため、セグメントＳｅｇ０により電圧が印加される画素４０は、前の画像をそのまま保持する。また、セグメントＳｅｇ１と画素電極６１の間には、大きな電位差が発生する。その結果、セグメントＳｅｇ１により電圧が印加される画素４０には黒色が表示される。また、６１のセグメントのうちのセグメントＳｅｇ１以外のすべてのセグメントと画素電極６１の間にも、大きな電位差が発生する。その結果、６１のセグメントのうちのセグメントＳｅｇ１以外のすべてのセグメントにより電圧が印加される画素４０には白色が表示される。
【００９９】
なお、セグメント表示モード期間Ｔ４ｂにおいて、電気光学表示装置１０は、電位Ｖ１と電位Ｖ２のうちのいずれか一方又は両方を３値のいずれかに変化させてもよい。また、セグメント表示モード期間Ｔ４ｂにおいて、電気光学表示装置１０は、電位Ｖ１と電位Ｖ２のうちのいずれか一方又は両方を４値以上のいずれかに変化させてもよい。
【０１００】
＜繰り返し期間Ｔ５ｂにおける電気光学表示装置１０の制御＞
電気光学表示装置１０は、図９に示した電源オフ期間Ｔ３〜セグメント表示モード期間Ｔ４ｂまでの動作を、５８回繰り返す。すなわち、電気光学表示装置１０は、図９に示した電源オフ期間Ｔ３〜繰り返し期間Ｔ５ｂまでの動作により、１分間隔で時計である電子機器１の秒針Ｓの表示を更新することができる。
【０１０１】
以上のように、電気光学表示装置１０が、セグメントに印加する電圧の値を、＋Ｖボルトと、０ボルトと、−Ｖボルトとの３値のいずれかとすることにより、１秒前の時刻の秒を示す秒針Ｓに対応したセグメントを白色にして当該秒針Ｓの表示を消すことと、現在の時刻の秒を示す秒針Ｓに対応したセグメントを黒色にして当該秒針Ｓを表示させることとを、同時に進行させることができる。その結果、電気光学表示装置１０は、秒針Ｓの表示位置の移動に係る時間を、上記の具体例１〜具体例２と比べて短縮することができる。
【０１０２】
なお、この具体例３の変形例として、図１０に示したタイミングチャートを、図１１に示したタイミングチャートのようにしてもよい。図１１は、図１０に示したタイミングチャートのうち、セグメント表示モード期間Ｔ４ｂをセグメント表示モード期間Ｔ４ｃに変更した図である。
【０１０３】
セグメント表示モード期間Ｔ４ｃにおいて、電気光学表示装置１０は、セグメント表示モード期間Ｔ４ｃにおける動作を開始した時から第１所定時間が経過するまでの間、セグメントＳｅｇ１に印加する電位の値が−Ｖボルトとなるようにし、その後、当該電位の値が０ボルトとなるように共通電源変調回路２３を制御する。第１所定時間は、セグメント表示モード期間Ｔ４ｃが開始した時から終了する時までの時間間隔よりも短い。
また、電気光学表示装置１０は、セグメント表示モード期間Ｔ４ｃにおける動作を開始した時から第２所定時間が経過するまでの間、６１のセグメントのうちのセグメントＳｅｇ１以外のすべてのセグメントに印加する電位の値が０ボルトとなるようにし、その後、当該電位の値が＋Ｖボルトとなるように共通電源変調回路２３を制御する。第２所定時間は、第１所定時間よりも短い。
【０１０４】
これにより、セグメントＳｅｇ１に印加する電位の値が−Ｖボルトである期間と、６１のセグメントのうちのセグメントＳｅｇ１以外のすべてのセグメントに印加する電位の値が＋Ｖボルトである期間とが部分的に重なる。その結果、電気光学表示装置１０は、秒針Ｓの表示位置の移動を、電子機器１のユーザーに対して滑らかなように見せることができる。すなわち、１秒前の時刻の秒を示す秒針Ｓが消えていく様子と、現在の時刻の秒針Ｓが現れる様子とを同時に電子機器１のユーザーに見せることができる。
【０１０５】
＜電気光学表示装置１０の他の表示例＞
以下では、電気光学表示装置１０の他の表示例について説明する。上記の説明では、電気光学表示装置１０がセグメントＳｅｇ１〜セグメントＳｅｇ６０によって、秒針Ｓを表示させる構成について説明したが、電気光学表示装置１０がセグメントＳｅｇ１〜セグメントＳｅｇ６０によって他の表示画像を表示させてもよい。例えば、電気光学表示装置１０は、図１２に示したように、セグメントＳｅｇ１〜セグメントＳｅｇ６０のうちの一部によって電圧が印加される画素４０の表示を黒色にすることにより、方位時針のように所定の方角を示す表示画像を表示する構成であってもよい。
【０１０６】
図１２は、電気光学表示装置１０の他の表示例を示す図である。図１２に示した例では、電気光学表示装置１０は、セグメントＳｅｇ５４〜セグメントＳｅｇ５８によって電圧が印加される画素４０の表示を黒色にすることにより、当該画素４０による表示を北の方角を示す表示画像として表示している。また、電気光学表示装置１０は、セグメントＳｅｇ２５によって電圧が印加される画素４０の表示を黒色にすることにより、当該画素４０による表示を北の方角とは反対の南の方角を示す表示画像として表示している。
【０１０７】
このように、電気光学表示装置１０は、セグメントＳｅｇ１〜セグメントＳｅｇ６０のうちの一部によって電圧が印加される画素４０の表示を黒色にすることにより、方位時針のように所定の方角を示す表示画像を表示することができる。
【０１０８】
なお、電気光学表示装置１０は、マトリクス表示モード期間Ｔ２において、セグメントＳｅｇ１〜セグメントＳｅｇ６０のうちの一部又は全部と、画素電極６１とによって、セグメントの形状とは異なる他の形状の画像を、セグメントＳｅｇ１〜セグメントＳｅｇ６０のうちの一部又は全部に表示させる構成であってもよい。
【０１０９】
＜電気光学表示装置１０におけるセグメントの多層構造＞
以下では、電気光学表示装置１０におけるセグメントの多層構造について説明する。上記の説明では、電気光学表示装置１０において、すべてのセグメントが同じ平面（層）内に配置されるように表示部１１に設けられた場合について説明したが、これらのセグメントは、多層構造を有するように配置されてもよい。例えば、図１３に示したように、セグメントＳｅｇ０ａとセグメントＳｅｇ１ａとを２層構造となるように配置してもよい。図１３は、電気光学表示装置１０におけるセグメントの多層構造の一例を示す図である。
【０１１０】
図１３において、セグメントＳｅｇ０ａとセグメントＳｅｇ１ａは、絶縁層Ｉｎｓを挟んで接着される。絶縁層Ｉｎｓの材質は、酸化ケイ素やアクリル等である。そのため、絶縁層Ｉｎｓは、透明である。また、セグメントＳｅｇ０ａには、穴部Ｈｌ１と穴部Ｈｌ２が設けられている。セグメントＳｅｇ１ａは、セグメントＳｅｇ０ａを表示面側から見た場合に、穴部Ｈｌ１及び穴部Ｈｌ２が塞がれるように配置される。このようにすることで、電気光学表示装置１０は、セグメント表示モード期間Ｔ４においてセグメントＳｅｇ１ａにより電圧が印加される画素４０の表示を黒色とすることにより、記号「：」を表示させることができる。
このようなセグメントの多層構造は、電気光学表示装置１０によりコロンやハートマーク等の記号の点滅をさせたい場合等に適用される。
【０１１１】
なお、上記で説明した電気光学表示装置１０は、少なくとも１つのセグメントにより電圧が印加される画素４０が備えるマイクロカプセル７３に、例えば、正に帯電した白粒子、負に帯電した黒粒子、負に帯電した赤粒子であって当該白粒子及び当該黒粒子よりも移動度の低い粒子が含まれる構成であってもよい。以下では、説明の便宜上、このような画素４０を、対象画素と称して説明する。移動度の低い粒子とは、例えば、当該白粒子や当該黒粒子よりも粒径が大きな粒子や、質量が大きな粒子のことを示す。これにより、電気光学表示装置１０は、対象画素に対して＋Ｖボルト又は−Ｖボルトの電圧を印加すると、白粒子及び黒粒子の泳動によって、対象画素の表示が白色又は黒色となる（赤粒子は、マイクロカプセル７３内を漂っている）。
【０１１２】
また、電気光学表示装置１０は、共通電源変調回路２３を制御することによりセグメントに任意の電圧を任意時間だけ印加できるため、対象画素の表示が白色の状態において、対象画素に電圧ＶＬボルト（０ボルト＜ＶＬボルト＜＜＋Ｖボルト)を印加すると、白粒子が画素電極側に泳動し、漂っていた赤粒子がセグメント側に移動し、対象画素の表示が赤色となる。すなわち、白粒子と赤粒子の位置関係が逆になる。なお、この場合、黒粒子もセグメント側に移動するが、セグメント側に到達する前に（赤粒子を追い越す前に）対象画素に対して電圧ＶＬボルトの印加を停止することにより、対象画素の表示を赤粒子によってのみ行うことができる。
以上のように、電気光学表示装置１０は、複数のセグメントのうちの一部にのみ、独立的に所定の電圧波形を印加することで、白色表示及び黒色表示に加え、他の色による表示も行うことができる。
【０１１３】
なお、電気光学表示装置１０の画素４０には、図１４に示す画素４０ａを採用することもできる。図１４は、画素４０ａの電気的な構成の一例を示す図である。画素４０ａは、選択トランジスター１４１と、キャパシター２２５と、画素電極６１と、画像形成部７０と、図示しない共通電源変調回路とを備える。すなわち、画素４０ａは、ＤＲＡＭ方式の画素回路を備えた構成である。
画素４０ａを採用する場合には、図３において、ラッチ回路１７０及びスイッチ回路１８０に接続された配線（高電位電源線３３、低電位電源線３４、第１制御線３６、第２制御線３７）は不要である。
【０１１４】
＜電気光学表示装置１０を備えた電子機器の他の具体例＞
以下、本発明の実施形態に係る電気光学表示装置１０を備えた電子機器の他の具体例について、図面を参照して説明する。図１５は、本実施形態に係る電気光学表示装置１０を備えた電子機器の他の具体例を示す図である。図１５（Ａ）には、電気光学表示装置１０を備える電子機器の一例である電子ブック２の一例を示した。電子ブック２は、ブック形状のフレーム２０１と、操作部２０３と、本実施形態に係る電気光学表示装置１０によって構成された表示部１１を備える。
【０１１５】
図１５（Ｂ）には、電気光学表示装置１０を備える電子機器の更に他の例である電子ペーパー３の一例を示した。電子ペーパー３は、紙と同様の質感及び柔軟性を有するリライタブルシートで構成される本体部２２１と、本実施形態に係る電気光学表示装置１０によって構成された表示部１１を備える。
【０１１６】
例えば、電子ブックや電子ペーパー等は、明るい場所だけではなく暗い場所でも白地又は黒地の背景上に文字を繰り返し書き込む用途が想定されるため、表示面に対する視認性の低下を抑制しつつ暗所でも使用できることが望ましい。
なお、本実施形態に係る電気光学表示装置１０、又は電気光学表示装置１０を備えることが可能な電子機器の範囲は、これらに限定されず、帯電粒子の移動に伴う視覚上の色調の変化を利用した装置を広く含むものである。
【０１１７】
以上説明したように、本実施形態に係る電子機器１が備える電気光学表示装置１０は、対向電極６２のうちの一部又は全部のセグメントに略同じ電位を印加する第１表示モード（この一例において、マトリクス表示モード）と、１以上の画像形成部７０に略同じ電位を印加する第２表示モード（この一例において、セグメント表示モード）とに基づいて画像形成部７０に表示画像を形成させる。これにより、電気光学表示装置１０は、高精細且つ高速に画像を表示することができる。
【０１１８】
また、電気光学表示装置１０は、第１表示モードとしてアクティブマトリクス表示モードと、第２表示モードとしてセグメント表示モードとに基づいて画像形成部７０に表示画像を形成させる。これにより、電気光学表示装置１０は、アクティブマトリクス表示モードと、セグメント表示モードとに基づいて、高精細且つ高速に画像を表示することができる。
【０１１９】
また、電気光学表示装置１０は、第２表示モードにおいて画像形成部７０に表示画像を形成させる時間間隔よりも長い時間間隔で、第１表示モードにおいて画像形成部７０に表示画像を形成させる。これにより、電気光学表示装置１０は、第１表示モードにより画像形成部７０が表示画像を形成する頻度を抑制することができる。
【０１２０】
なお、上記で説明した各セグメント表示モード期間において、電気光学表示装置１０は、電位Ｖ１と電位Ｖ２のうちのいずれか一方又は両方をパルス状に変化させる構成に代えて、電圧の変化を表す曲線が、微分可能な関数で表すことができる滑らかな曲線となるように変化させる構成（例えば、サインカーブを描くように変化させる構成）等の他の形状となるように変化させる構成であってもよい。
【０１２１】
以上、この発明の実施形態を、図面を参照して詳述してきたが、具体的な構成はこの実施形態に限られるものではなく、この発明の要旨を逸脱しない限り、変更、置換、削除等されてもよい。
【符号の説明】
【０１２２】
１、２、３  電子機器、１０  電気光学表示装置、１１  表示部、２０  制御部、２１  走査線駆動回路、２２  データ線駆動回路、２３  共通電源変調回路、３１  走査線、３２  データ線、３３  高電位電源線、３４  低電位電源線、３５  共通電極配線、３６  第１制御線、３７  第２制御線、４０  画素、５１  第１基板、５２  第２基板、６１  画素電極、６２  対向電極、７０  画像形成部、７１  黒色粒子、７２  白色粒子、７３  マイクロカプセル、１４１  選択トランジスター、１７０  ラッチ回路、１７０ｔ  転送インバーター、１７０ｆ  帰還インバーター、１７１、１７３、１８１、１８３  Ｐ−ＭＯＳトランジスター、１７２、１７４、１８２、１８４  Ｎ−ＭＯＳトランジスター、２０１  フレーム、２０３  操作部、２２１  本体部
【図１】
2016191848.tif 000003
【図２】
2016191848.tif 000004
【図３】
2016191848.tif 000005
【図４】
2016191848.tif 000006
【図５】
2016191848.tif 000007
【図６】
2016191848.tif 000008
【図７】
2016191848.tif 000009
【図８】
2016191848.tif 000010
【図９】
2016191848.tif 000011
【図１０】
2016191848.tif 000012
【図１１】
2016191848.tif 000013
【図１２】
2016191848.tif 000014
【図１３】
2016191848.tif 000015
【図１４】
2016191848.tif 000016
【図１５】
2016191848.tif 000017